(57)【特許請求の範囲】
【請求項１】
取手付の扉及び被加熱物を載置する載置体を備えた引出部が、グリル庫の前部開口を前記扉にて閉じる状態でそのグリル庫内に収納される収納位置と前記グリル庫の前方に引き出された引出位置とに出退移動自在に設けられた調理用加熱装置であって、
前記扉における前記前部開口の上側部分を閉じる上扉部分が、前記引出部が前記収納位置に位置する状態において、前記扉における前記前部開口の下側部分を閉じる下扉部分を閉じ状態に維持する状態で開閉操作自在に構成され、
前記取手が前記上扉部分に備えられ、
前記上扉部分が、平行又は略平行な姿勢を維持する状態で、前記下扉部分の上方に位置する閉じ位置と前記下扉部分の前方に位置する開き位置との間で移動されることにより開閉操作されるように構成されている調理用加熱装置。
【請求項２】
前記上扉部分を前記下扉部分の上方に位置する閉じ位置に固定ロックするロック手段が、ロック状態と解除状態とに切り換え操作自在に設けられている請求項１記載の調理用加熱装置。
【請求項３】
前記ロック手段をロック状態と解除状態とに切り換える操作部が、前記取手を把持する手指にて操作自在に設けられている請求項２記載の調理用加熱装置。
【請求項４】
前記上扉部分が、前記引出部が前記収納位置に位置する状態において前記前部開口における前記載置体の載置面と同高さ又は略同高さよりも上方側部分を開閉するように設けられている請求項１〜３のいずれか１項に記載の調理用加熱装置。
【発明の詳細な説明】
【技術分野】
【０００１】
本発明は、取手付の扉及び被加熱物を載置する載置体を備えた引出部が、グリル庫の前部開口を前記扉にて閉じる状態でそのグリル庫内に収納される収納位置と前記グリル庫の前方に引き出された引出位置とに出退移動自在に設けられた調理用加熱装置に関する。
【背景技術】
【０００２】
かかる調理用加熱装置は、被加熱物を載置体に載置した状態で、引出部をグリル庫内に収納して、被加熱物を加熱調理するものである。
つまり、扉の取手を把持して引出部をグリル庫内に押し込んでグリル庫内に収納すると、グリル庫の前部開口が扉にて閉じられた状態となって、そのように扉にて閉じられたグリル庫内で被加熱物を加熱調理することになる。又、加熱調理が終了すると、扉の取手を把持して引出部をグリル庫から引き出して、被加熱物を取り出すことになる。
【０００３】
ところで、このような調理用加熱装置を用いて加熱調理する場合、加熱調理の途中で、焼け具合等、被加熱物の加熱調理状況の確認を行う場合がある。ちなみに、被加熱物の加熱調理状況の確認は、目視により行ったり、箸等により被加熱物に接触することにより行う。
そして、このような加熱調理状況の確認を、引出部をグリル庫から前方に引き出して行うと、グリル庫内の温度及び被加熱物の温度が低下することになり、加熱効率が低下する等、加熱調理に悪影響を与える虞がある。
【０００４】
そこで、従来では、前部開口の全体を閉じる扉を、その下端縁部に沿う横軸心周りに揺動自在に引出部に備えることにより、扉を、引出部をグリル庫内に収納した状態で、開閉操作自在なように構成していた（例えば、特許文献１参照。）。
【０００５】
【特許文献１】特開平１１−１７３５６９号公報
【発明の開示】
【発明が解決しようとする課題】
【０００６】
しかしながら、従来の調理用加熱装置では、被加熱物の加熱調理状況の確認を行う際に、前部開口をその全体にわたって開くことになるので、グリル庫内の温度や被加熱物の温度の低下を充分に抑制できないものであり、加熱調理に与える悪影響を充分に回避し難いという問題があった。
【０００７】
本発明は、かかる実情に鑑みてなされたものであり、その目的は、加熱調理に与える悪影響を充分に回避しながら、被加熱物の加熱調理状況の確認を行い得る調理用加熱装置を提供することにある。
【課題を解決するための手段】
【０００８】
本発明の調理用加熱装置は、取手付の扉及び被加熱物を載置する載置体を備えた引出部が、グリル庫の前部開口を前記扉にて閉じる状態でそのグリル庫内に収納される収納位置と前記グリル庫の前方に引き出された引出位置とに出退移動自在に設けられたものであって、
第１特徴構成は、前記扉における前記前部開口の上側部分を閉じる上扉部分が、前記引出部が前記収納位置に位置する状態において、前記扉における前記前部開口の下側部分を閉じる下扉部分を閉じ状態に維持する状態で開閉操作自在に構成され、
前記取手が前記上扉部分に備えられ、
前記上扉部分が、平行又は略平行な姿勢を維持する状態で、前記下扉部分の上方に位置する閉じ位置と前記下扉部分の前方に位置する開き位置との間で移動されることにより開閉操作されるように構成されている点を特徴とする。
【０００９】
即ち、引出部をグリル庫内に収納させた状態で扉の上扉部分を開閉操作すると、扉の下扉部分にて前部開口の下側部分を閉じ状態に維持した状態で、前部開口の上側部分を開閉することができる。
【００１０】
つまり、加熱調理の途中で、引出部をグリル庫内に収納した状態で被加熱物の加熱調理状況の確認を行うときには、下扉部分にて前部開口の下側部分を閉じた状態で、前部開口の上側部分を開いて行うことになるので、前部開口の開かれる部分を少なくして、グリル庫内の温度や被加熱物の温度の低下を充分に抑制しながら、前部開口の開かれた上側部分を通して、加熱調理状況の確認を行うことができる。
従って、加熱調理に与える悪影響を充分に回避しながら、被加熱物の加熱調理状況の確認を行い得る調理用加熱装置を提供することができるようになった。
【００１２】
また、第１特徴構成によれば、取手が上扉部分に備えられ、上扉部分が平行又は略平行な姿勢を維持する状態で閉じ位置と開き位置との間で移動されることにより開閉操作されるように構成されているので、上扉部分が平行又は略平行な姿勢を維持する状態で閉じ位置と開き位置との間で移動されると、その上扉部分に備えられた取手も平行又は略平行な姿勢が維持される状態で移動されることになる。
つまり、取手を把持する手指の姿勢を略同じ姿勢に維持する状態で、上扉部分を閉じ位置と開き位置との間で移動操作することができる。
【００１３】
ちなみに、上扉部分を前部開口の上側部分を開閉操作自在に構成するに当たって、上扉部分をその下端縁部に沿う横軸心周りに揺動自在に設けることが想定できるが、この場合、上扉部分を開閉操作するには、手首を大きく曲げる等、取手を把持する手指の姿勢を大きく変更する必要があるので、操作性が低下する。
従って、取手を把持する手指の姿勢を略一定に維持する状態で、上扉部分を開閉操作することができるので、上扉部分を開閉操作するための操作性を向上することができるようになった。
【００１４】
第２特徴構成は、上記第１特徴構成に加えて、
前記上扉部分を前記下扉部分の上方に位置する閉じ位置に固定ロックするロック手段が、ロック状態と解除状態とに切り換え操作自在に設けられている点を特徴とする。
【００１５】
即ち、上扉部分を下扉部分の上方に位置する閉じ位置に固定ロックするロック手段が、ロック状態と解除状態とに切り換え操作自在に設けられているので、引出部をグリル庫内に収納した状態で、ロック手段を解除状態にすると、上扉部分を開くことができ、ロック手段をロック状態にすると、上扉部分を閉じ位置に固定ロックした状態で、引出部を収納位置から引き出すことができる。
【００１６】
そして、上扉部分を閉じ位置に位置させた状態では、上扉部分が手前側に出っ張らないので、ロック手段をロック状態にして上扉部分を閉じ位置に固定ロックした状態で、引出部を収納位置から引き出すようにすると、引出部が調理用加熱装置の本体から出っ張る量を小さくすることができるので、加熱用調理装置の前方のスペースが狭くても、引出部の出退移動操作を行い易い。
【００１７】
又、ロック手段を解除状態にして上扉部分を開き位置に位置させた状態で、引出部を収納位置から引き出すと、又は、ロック手段をロック状態にして上扉部分を閉じ位置に固定ロックした状態で引出部を収納位置から引き出した後に、ロック手段を解除状態にして上扉部分を開き位置に位置させると、扉が載置体の上方に出っ張らないように又は載置体の上方への扉の出っ張り量が小さくなるようにすることができるので、被加熱物を載置体から取り出したり載置体に載置したりする作業を行い易い。
従って、扉の上扉部分にて前部開口の上側部分を開閉自在なようにしながら、加熱用調理装置の前方のスペースが狭くても、引出部の出退移動操作を行い易いように、又、被加熱物を載置体から取り出したり載置体に載置したりする作業を行い易いようにすることができるようになった。
【００１８】
第３特徴構成は、上記第２特徴構成に加えて、
前記ロック手段をロック状態と解除状態とに切り換える操作部が、前記取手を把持する手指にて操作自在に設けられている点を特徴とする。
【００１９】
即ち、ロック手段をロック状態と解除状態とに切り換える操作部が、取手を把持する手指にて操作自在に設けられているので、ロック手段を解除状態に切り換えて、上扉部分を開く操作や、上扉部分を閉じてロック手段をロック状態に切り換える操作を、取手を把持したままで行うことができる。
【００２０】
従って、上扉部分を閉じ位置に固定ロックするロック手段を設けながらも、ロック手段を解除状態に切り換えて上扉部分を開く操作や、上扉部分を閉じてロック手段をロック状態に切り換える操作を行い易いようにすることができるようになった。
【００２１】
第４特徴構成は、上記第１〜第３特徴構成のいずれかに加えて、
前記上扉部分が、前記引出部が前記収納位置に位置する状態において前記前部開口における前記載置体の載置面と同高さ又は略同高さよりも上方側部分を開閉するように設けられている点を特徴とする。
【００２２】
即ち、引出部が収納位置に位置する状態で上扉部分を開くと、前部開口における載置体の載置面と同高さ又は略同高さよりも上方側部分が開かれるので、引出部が収納位置に位置する状態で上扉部分を開いたときには、前部開口内において、載置体の載置面と同高さ又は略同高さよりも上方側には遮るものがなく、グリル庫内を見通し易い。
従って、被加熱物の加熱調理状況の確認を行い易いようにすることができるようになった。
【発明を実施するための最良の形態】
【００２３】
以下、図面に基づいて、本発明の実施の形態を説明する。
図１は、本発明に係る調理用加熱装置としてのグリルＧを備えたガスコンロを示し、このガスコンロは、コンロ本体１の上部に３つのコンロバーナ２を配置し、コンロ本体１の内部に、グリルバーナ３（図４参照）を備える前記グリルＧを配置して、ビルトインタイプのガスコンロに構成してある。
コンロ本体１の上部後方側に、グリルバーナ３の燃焼排ガスを排気するためのグリル排気口４を設け、コンロ本体１の上部は、トッププレート５にて覆い、このトッププレート５の上部に、前記３つのコンロバーナ２の夫々に対応して、加熱用容器（鍋など）を載置する五徳６を載置支持するように構成してある。
【００２４】
又、コンロ本体１の前面部の略中央は、コンロ本体１に内蔵したグリルＧのグリル庫７の前部開口８にて開口すると共に、コンロ本体１の前面部には、コンロバーナ２の点火、消火や火力の調整等の各種操作を行う３つのコンロ用操作部９、及び、グリルバーナ３の点火、消火や火力の調整等の各種操作を行うグリル用操作部１０をグリル庫７の前部開口８の左右両側に振り分けて設けてある。
【００２５】
以下、グリルＧについて説明を加える。
図１ないし図４に示すように、このグリルＧは、前記グリルバーナ３を前記グリル庫７の内部を加熱するように設け、取手１１付の扉１２及び被加熱物を載置する載置体としての焼き網１３を備えた引出部Ｈを、グリル庫７の前部開口８を扉１２にて閉じる状態でそのグリル庫７内に収納される収納位置（図１、図２及び図４参照）とグリル庫７の前方に引き出された引出位置（図３参照）とに出退移動自在に設けて構成してある。ちなみに、前記引出位置とは、引出部Ｈがその大部分がグリル庫７から引き出された状態でコンロ本体１に支持される状態である。
【００２６】
図３及び図４に示すように、前記引出部Ｈは、前記グリル庫７内の左右両側の下部に設けられた一対の案内レール１４にてガスコンロ本体１の前後方向に移動案内される受板１５を備えて、その受板１５の前端部に前記扉１２を取り付け、その受板１５に汁受皿１６を載置自在に構成し、更に、その汁受皿１６に前記焼き網１３を載置自在に構成して、引出部Ｈが左右一対の案内レール１４の案内にて前記収納位置と前記引出位置とに出退移動自在な構成としてある。
【００２７】
図４に示すように、前記グリルバーナ３は、グリル庫７内の上部に位置して、前記焼き網１３に載置された被加熱物を上側から加熱する上側バーナ３ａと、グリル庫７内の下部側方に位置して、焼き網１３に載置された被加熱物を下側側方から加熱する下側バーナ３ｂとを備えて構成してある。
前記グリル庫７の後部には、前記グリルバーナ３の燃焼排ガスや被加熱物から発生する煙などを前記グリル排気口４から排出するように、排気筒１７を設けてある。
【００２８】
図１ないし図４に示すように、本発明では、前記扉１２における前記前部開口８の上側部分を閉じる上扉部分１２Ａを、前記引出部Ｈが前記収納位置に位置する状態において、扉１２における前部開口８の下側部分を閉じる下扉部分１２Ｂを閉じ状態に維持する状態で開閉操作自在に構成してある。
ちなみに、上扉部分１２Ａにより、前部開口８における上側の略半分の部分を開閉し、下扉部分１２Ｂにより、前部開口８における下側の略半分の部分を開閉するように構成してある。
【００２９】
上扉部分１２Ａには、窓１２ｗを形成すると共に、その窓１２ｗに透明ガラス１２ｇを嵌め込んで、上扉部分１２Ａにて前部開口８の上側部分を閉じた状態でも、透明ガラス１２ｇを通してグリル庫７内を目視できるように構成してある。
又、上扉部分１２Ａを、引出部Ｈが前記収納位置に位置する状態において前部開口８における前記焼き網１３の載置面と同高さ又は略同高さよりも上方側部分を開閉するように設けてある。
【００３０】
そして、上扉部分１２Ａを平行又は略平行な姿勢を維持する状態で下扉部分１２Ｂの上方に位置する閉じ位置と下扉部分１２Ｂの前方に位置する開き位置との間で移動案内することにより開閉操作するように構成したリンク機構Ｌを設けてある。
ちなみに、上扉部分１２Ａが閉じ位置に位置する状態では、側面視で、上扉部分１２Ａが下扉部分１２Ｂの上方に下扉部分１２Ｂと略一直線上に並ぶ状態となり、上扉部分１２Ａが開き位置に位置する状態では、上扉部分１２Ａが、下扉部分１２Ｂの前方にその下扉部分１２Ｂと略同高さ且つ略平行な姿勢で位置する状態となる。
【００３１】
又、図７及び図８に示すように、前記取手１１を上扉部分１２Ａに備え、その上扉部分１２Ａを前記閉じ位置に固定ロックするロック手段としてのロック機構Ｓを、ロック状態と解除状態とに切り換え操作自在に設けてある。
更に、ロック機構Ｓをロック状態と解除状態とに切り換える操作部としての操作レバー３０を、取手１１にその取手１１を把持する手指にて操作自在に設けてある。
【００３２】
図５及び図６に基づいて、前記リンク機構Ｌについて説明を加える。
尚、図５は、上扉部分１２Ａが下扉部分１２Ｂの上方の閉じ位置に位置する状態を示す図であり、図６は、上扉部分１２Ａが下扉部分１２Ｂの前方の開き位置に位置する状態を示す図である。
このリンク機構Ｌは、平行リンクであり、扉１２の左右の側部に1個ずつ設けてある。
そして、各リンク機構Ｌは、上側アーム１８の両端夫々を上扉部分１２Ａの側部上側箇所に設けた上側軸体２１、下扉部分１２Ｂの側部上側箇所に設けた上側軸体２２に枢支し、下側アーム１９の両端夫々を上扉部分１２Ａの側部下側箇所に設けた下側軸体２３、下扉部分１２Ｂの側部下側箇所に設けた下側軸体２４に枢支して構成してある。
又、下扉部分１２Ｂの左右の側部下端部には、下側アーム１９を受け止めて、リンク機構Ｌの下方側への移動を制限する受け止めピン２０を設けてある。
【００３３】
上扉部分１２Ａの上側軸体２１及び下扉部分１２Ｂの上側軸体２２夫々の各扉部分側部からの突出量を、上扉部分１２Ａの下側軸体２３及び下扉部分１２Ｂの下側軸体２４夫々の各扉部分側部からの突出量よりも大きくすると共に、下側アーム１９の上側の縁部には、上扉部分１２Ａが閉じ位置に位置したときに、下扉部分１２Ｂの上側軸体２２に係止するように半円状の切込部１９ａを形成してある。
そして、引出部Ｈを収納位置に位置させた状態で、操作者が前記取手１１を把持して上下移動操作すると、前記一対のリンク機構Ｌの案内により、上扉部分１２Ａを、平行又は略平行な姿勢を維持する状態で、前記閉じ位置と前記開き位置とにわたって移動操作して、前部開口８の上側部分を開閉操作することができる。
上扉部分１２Ａを閉じ位置に位置させた状態では、左右夫々の下側アーム１９の切込部１９ａが下扉部分１２Ｂの左右の上側軸体２２に係止することになり、上扉部分１２Ａが閉じ位置に保持される。
又、上扉部分１２Ａの下方側への移動は、左右夫々の下側アーム１９が左右夫々の受け止めピン２０に受け止められることにより規制され、その状態で、上扉部分１２Ａが開き位置に保持される。
【００３４】
図７及び図８に基づいて、前記ロック機構Ｓについて、説明を加える。
尚、図７は、ロック機構Ｓがロック状態に切り換えられている状態を示す図であり、図８は、ロック機構Ｓが解除状態に切り換えられている状態を示す図である。
このロック機構Ｓは、下扉部分１２Ｂの左側端部の上端面に形成したロック孔１２ｈ、上扉部分１２Ａが閉じ位置に位置した状態でロック孔１２ｈに挿脱自在な状態で且つそのロック孔１２ｈに係合する方向（下方）に付勢した状態で上下移動自在に上扉部分１２Ａに設けたロックピン２５、そのロックピン２５を上下移動させてロック状態と解除状態とに切り換えるアーム２６等を備えて構成してある。
【００３５】
説明を加えると、前記ロックピン２５は、丸棒状であり、後端側に連結用ピン２７を付設してある。
その丸棒状のロックピン２５をその長手方向を上下方向に沿わせて、バネ体２８にて下方側に付勢した状態で、上扉部分１２Ａの下端から下方に突出するように上扉部分１２Ａに設けてある。
【００３６】
前記アーム２６は、Ｌ字状に形成し、その一端側に前記連結用ピン２７を係合させる長孔状の連結孔２６ｈを形成し、他端側に前記操作レバー３０を連結するための長孔状の連結孔２６ｉを形成してある。
そのＬ字状のアーム２６を、連結用ピン２７を係合させるための連結孔２６ｈを形成した端部がコンロ本体１側に向き且つ操作レバー３０を連結するための連結孔２６ｉを形成した端部が上側を向く姿勢で、屈曲部にて水平方向の軸心Ｐ周りに揺動自在に取手１１に支持してある。
そして、前記ロックピン２５の後端の連結用ピン２７をアーム２６の連結孔２６ｈに係合させて、アーム２６を揺動操作することにより、ロックピン２５を上下移動操作するように構成してある。
【００３７】
前記操作レバー３０は、前記取手１１の内側における横方向の一端側（この実施形態では左側）に、前記アーム２６における上下方向を向く部分よりもコンロ本体１側に位置させて、コイルバネ３１にてコンロ本体１側に復帰付勢した状態で、前後方向に移動操作自在に支持してある。
その操作レバー３０には、操作片３０ａを、コンロ本体１側とは反対側に突出する状態で設け、その操作片３０ａの先端部に、連結用ピン３２を付設してある。
そして、操作片３０ａの先端の連結用ピン３２を前記アーム２６の連結孔２６ｉに係合させて、操作レバー３０を前後方向に移動操作することにより、前記アーム２６を水平方向の軸心Ｐ周りに揺動させるように構成してある。
【００３８】
つまり、操作者が取手１１を把持する手指にて操作レバー３０を前後方向に移動操作することにより、ロックピン２５を上下移動操作して、ロックピン２５を下扉部分１２Ｂのロック孔１２ｈに挿入するロック状態と、下扉部分１２Ｂのロック孔１２ｈから抜く解除状態とに切り換えるように構成してある。
【００３９】
以下、上述のように構成したグリルＧの使用形態の一例について説明する。
例えば、引出部Ｈをグリル庫７内に収納した状態（図１参照）で上扉部分１２Ａを開くときは、取手１１を把持して、その取手１１を把持した手指にて操作レバー３０を後方側に移動操作すると、ロックピン２５が上方に移動して下扉部分１２Ｂのロック孔１２ｈから抜けてロック機構Ｓが解除状態になり、そのままの状態で、取手１１を把持した手指を手前下方に移動させると、一対のリンク機構Ｌの案内により、上扉部分１２Ａを平行又は略平行な姿勢を維持する状態で、下扉部分１２Ｂの前方の開き位置に移動させることができて、図２に示すように、前部開口７の上側部分を開くことができる。
【００４０】
このように、引出部Ｈが収納位置に位置する状態で上扉部分１２Ａを開くと、前部開口８内において、焼き網１３の載置面と同高さ又は略同高さよりも上方側には遮るものがない状態となるので、グリル庫７内を見通し易く、被加熱物の加熱調理状況の確認を行い易い。
【００４１】
上述のように上扉部分１２Ａを開いた状態から閉じるときは、取手１１を把持すると共に、取手１１を把持した手指にて操作レバー３０を後方側に移動操作してロック機構Ｓを解除状態にし、そのように取手１１を把持した手指を上方奥側に移動させると、一対のリンク機構Ｌの案内により、上扉部分１２Ａを平行又は略平行な姿勢を維持する状態で、図１に示すように、下扉部分１２Ｂの上方の閉じ位置に移動させることができ、その状態で、手指にて操作レバー３０を後方側に移動させて保持している状態を解除すると、ロックピン２５が下方に移動して下扉部分１２Ｂのロック孔１２ｈに挿入されてロック機構Ｓがロック状態となり、上扉部分１２Ａが閉じ位置に固定ロックされる。
【００４２】
又、ロック機構Ｓをロック状態にした状態で、引出部Ｈを収納位置から引き出すと、図３に示すように、上扉部分１２Ａを閉じ位置に固定ロックした状態で、引出部Ｈを収納位置から引き出すことができる。
【００４３】
又、図示は省略するが、ロック機構Ｓを解除状態にして上扉部分１２Ａを開き位置に位置させた状態で、引出部Ｈを収納位置から引き出すと、又は、ロック機構Ｓをロック状態にして上扉部分１２Ａを閉じ位置に固定ロックした状態で引出部Ｈを収納位置から引き出した後に、ロック機構Ｓを解除状態にして上扉部分１２Ａを開き位置に位置させると、扉１２が焼き網１３の上方に出っ張らないので、被加熱物を焼き網１３から取り出したり焼き網１３に載置したりする作業を行い易い。
【００４４】
〔別実施形態〕
次に別実施形態を説明する。
【００４５】
（イ）  前部開口８の上側部分を開閉するために、上扉部分１２Ａを、平行又は略平行な姿勢を維持する状態で、下扉部分１２Ｂの上方に位置する閉じ位置と下扉部分１２Ｂの前方に位置する開き位置との間で移動案内するための手段としては、上記の実施形態において例示したリンク機構Ｌに限定されるものではなく、例えば、カム機構でも良い。
このカム機構は、扉１２の左右の側部に１個ずつ設ける。そして、各カム機構は、上下方向に沿う上下方向溝部分とその上下方向溝部分の上端からコンロ本体１側に横方向に延びる横方向溝部分とからなるカム溝を形成したカム溝形成体を下扉部分１２Ｂの側部に設けると共に、上扉部分１２Ａの側部に上下方向に並べて設けた一対のローラを前記カム溝に係合させて構成する。ちなみに、前記カム溝の横方向溝部分は、前記一対のローラを各別に案内するように２列状に設けることになる。
【００４６】
（ロ）  前部開口８において、扉１２の上扉部分１２Ａにて開閉する部分は、上記の実施形態において例示した如き、前部開口８における略半分の部分に限定されるものではなく、半分よりも大きくなっても小さくなっても良い。
但し、前部開口８において上扉部分１２Ａにて開閉する部分が大きくなるほど、グリル庫７内の温度が低下し易く、小さくなるほど、被加熱物の加熱調理状況の確認を行い難くなるので、前部開口８の上側の半分近くにするのが好ましい。
【００４７】
（ハ）  上記の実施形態においては、収納位置と引出位置とで扉１２の高さを同じ又は略同じ高さに維持する状態で、引出部Ｈを収納位置と引出位置とに出退移動自在に設ける場合について例示したが、引出部Ｈを収納位置と引出位置とに出退移動するのに伴って、扉１２の高さが収納位置よりも引出位置の方が低くなる状態で、扉１２が上下移動案内されるように構成しても良い。
【００４８】
この場合は、図９に示すように、汁受皿１６を、その左右の鍔部を前記グリル庫７内の左右両側に振り分けて設けた一対の案内レール３３に係合させて設けることにより、汁受皿１６を一対の案内レール３３の案内にて前後方向に移動自在なように構成する。
そして、左右一対の連結アーム３４夫々の後端部を、汁受皿１６の左右両側部夫々の後端部に枢支し且つそれら左右一対の連結アーム３４夫々の先端部を扉１２の下扉部分１２Ｂの左右両側部夫々に固定状態で接続して、汁受皿１６と扉１２とを連結することにより、上述のように、引出部Ｈを収納位置と引出位置とに出退移動するのに伴って、扉１２の高さが収納位置よりも引出位置の方が低くなる状態で、扉１２が上下移動案内されるように構成する。
つまり、このように汁受皿１６と扉１２とを一対の連結アーム３４にて連結すると、取手１１を把持して引出部Ｈを収納位置から引き出すときは、左右一対の連結アーム３４がグリル庫７の前部開口８の下端縁部８ａに摺動しながら前方に移動するので、左右一対の連結アーム３４は下方に揺動することになって、扉１２は徐々に低下することになる。
又、取手１１を把持して引出部Ｈを引出位置からグリル庫７内に収納するときは、左右一対の連結アーム３４がグリル庫７の前部開口８の下端縁部８ａに摺動しながら後方に移動するので、左右一対の連結アーム３４は上方に揺動することになって、扉１２は徐々に上昇して、閉じ位置に位置して前部開口８を閉じることになる。
【００４９】
そして、引出部Ｈを引出位置に引き出した状態での扉１２の高さは、上扉部分１２Ａを閉じ位置に位置させた状態の扉１２の上端部が前記焼き網１３の載置面と同高さ又は前記焼き網１３の載置面よりも多少低くなるように設定する。
この場合は、上扉部分１２Ａを閉じ位置に固定ロックした状態で、引出部Ｈを引出位置に引き出して、被加熱物を焼き網１３から取り出したり、被加熱物を焼き網１３に載置するときに、扉１２が邪魔になり難い。
【００５０】
（ニ）  上記の実施形態においては、本発明を、コンロバーナ２を備えたガスコンロに内蔵されたグリルＧに適用する場合について例示したが、グリルＧのみを備えたものにも適用することができる。
又、赤熱発光するハロゲンランプ、電気抵抗線を内蔵したシーズヒータ、又は、電磁誘導加熱（通常、「ＩＨ」と呼ばれる）を行う磁界発生コイル等の電気式加熱手段を備えたコンロに内蔵されたグリルＧにも適用することができる。
この場合、グリル庫７内を加熱する加熱手段としては、上記の実施形態において例示したグリルバーナ３に代えて、シーズヒータ等の電気式加熱手段を設けることになる。
【図面の簡単な説明】
【００５１】
【図１】調理用加熱装置を備えたガスコンロにおける外観及びグリル庫の前部開口を閉じた状態を示す斜視図
【図２】調理用加熱装置を備えたガスコンロにおけるグリル庫の前部開口の上側部分を開いた状態を示す斜視図
【図３】調理用加熱装置を備えたガスコンロにおける引出部を引き出した状態を示す斜視図
【図４】調理用加熱装置の縦断側面図
【図５】調理用加熱装置の引出部を示す斜視図
【図６】調理用加熱装置の引出部を示す斜視図
【図７】調理用加熱装置のロック機構を示す縦断側面図
【図８】調理用加熱装置のロック機構を示す縦断側面図
【図９】別実施形態に係る調理用加熱装置の縦断側面図
【符号の説明】
【００５２】
７        グリル庫
８        前部開口
１１      取手
１２      扉
１２Ａ  上扉部分
１２Ｂ  下扉部分
１３    載置体
３０    操作部
Ｈ      引出部
Ｓ      ロック手段
【図１】
0004731332.tif 000002
【図２】
0004731332.tif 000003
【図３】
0004731332.tif 000004
【図４】
0004731332.tif 000005
【図５】
0004731332.tif 000006
【図６】
0004731332.tif 000007
【図７】
0004731332.tif 000008
【図８】
0004731332.tif 000009
【図９】
0004731332.tif 000010